(57)【要約】本発明は、ｍ行×ｎ列のＴＦＴ画素ユニットが配布されているガラス基板１と、ゲート電極制御器３と、ソース電極制御器４と、タイミング制御器５と、ＴＦＴ画素ユニット２の行列間に配置されているｍ本の走査線Ｇｉ及び２ｎ本のデータ線Ｄｊとを備える液晶パネルの駆動回路、駆動方法及び該駆動回路を備える液晶表示装置を提供する。毎列における奇数行のＴＦＴ画素ユニット２は第１のデータ線Ｄｊ１に接続され、毎列における偶数行のＴＦＴ画素ユニットは第２のデータ線Ｄｊ２に接続され、第１のデータ線Ｄｊ１と第２のデータ線Ｄｊ２とは、それぞれ第１のスイッチ部材と第２のスイッチ部材とによってソース電極制御器に設けられているソース電極駆動チップに接続される。該駆動回路は、液晶パネルの電力消費を減少するとともに、駆動チップの使用数量を低減して製造コストを節約することができる。
2016539365.tif 000002
【特許請求の範囲】
【請求項１】
ｍ行×ｎ列のＴＦＴ画素ユニットが配布されているガラス基板と、ゲート電極制御器と、ソース電極制御器と、タイミング制御器と、前記ＴＦＴ画素ユニットの行列間に配置されているｍ本の走査線及び２ｎ本のデータ線とを備える液晶パネルの駆動回路であって、
前記タイミング制御器は、前記ゲート電極制御器及びソース電極制御器にタイミング信号を提供し、
毎行のＴＦＴ画素ユニットには１本の走査線が接続され、ｍ本の走査線は前記ゲート電極制御器に接続され、前記ゲート電極制御器は、ｍ本の走査線を介してｍ行のＴＦＴ画素ユニットに走査信号を提供し、
毎列のＴＦＴ画素ユニットには第１のデータ線及び第２のデータ線が対応して設けられ、毎列における奇数行のＴＦＴ画素ユニットは前記第１のデータ線に接続され、毎列における偶数行のＴＦＴ画素ユニットは前記第２のデータ線に接続され、前記第１のデータ線と第２のデータ線とは、それぞれ第１のスイッチ部材と第２のスイッチ部材とによってソース電極制御器に設けられている同一のソース電極駆動チップに接続され、前記ソース電極制御器は、ｎ個のソース電極駆動チップ及び２ｎ本のデータ線を介してｎ列のＴＦＴ画素ユニットにデータ信号を提供し、ｍ及びｎは、いずれもゼロより大きい整数であることを特徴とする液晶パネルの駆動回路。
【請求項２】
前記ゲート電極制御器が奇数行のＴＦＴ画素ユニットに走査信号を提供したときには、前記第１のスイッチ部材が導通されるとともに第２のスイッチ部材が遮断され、前記ソース電極制御器は、ｎ個のソース電極駆動チップ及び毎列における第１のデータ線を介して奇数行におけるＴＦＴ画素ユニットにデータ信号を提供し、
前記ゲート電極制御器が偶数行のＴＦＴ画素ユニットに走査信号を提供したときには、前記第１のスイッチ部材が遮断されるとともに第２のスイッチ部材が導通され、前記ソース電極制御器は、ｎ個のソース電極駆動チップ及び毎列における第２のデータ線を介して偶数行におけるＴＦＴ画素ユニットにデータ信号を提供することを特徴とする請求項１に記載の液晶パネルの駆動回路。
【請求項３】
前記第１のスイッチ部材及び第２のスイッチ部材はそれぞれ前記タイミング制御器に接続され、前記タイミング制御器の制御によって前記第１のスイッチ部材及び第２のスイッチ部材が導通又は遮断されることを特徴とする請求項１に記載の液晶パネルの駆動回路。
【請求項４】
前記第１のスイッチ部材及び第２のスイッチ部材はそれぞれ前記タイミング制御器に接続され、前記タイミング制御器の制御によって前記第１のスイッチ部材及び第２のスイッチ部材が導通又は遮断されることを特徴とする請求項２に記載の液晶パネルの駆動回路。
【請求項５】
前記第１のスイッチ部材は第１のＭＯＳトランジスタであり、前記第２のスイッチ部材は第２のＭＯＳトランジスタであり、
前記第１のＭＯＳトランジスタにおいて、ゲート電極は第１のクロック線を介して前記タイミング制御器に接続され、ソース電極は前記ソース電極駆動チップに接続され、ドレイン電極は前記第１のデータ線に接続され、
前記第２のＭＯＳトランジスタにおいて、ゲート電極は第２のクロック線を介して前記タイミング制御器に接続され、ソース電極は前記ソース電極駆動チップに接続され、ドレイン電極は前記第２のデータ線に接続されることを特徴とする請求項４に記載の液晶パネルの駆動回路。
【請求項６】
タイミング制御器によってタイミング信号をゲート電極制御器及びソース電極制御器に提供するステップと、
ゲート電極制御器によって走査信号をｍ行のＴＦＴ画素ユニットの毎行に逐次提供するステップと、
ソース電極制御器によってデータ信号をｎ列のＴＦＴ画素ユニットに提供するステップを含み、
毎列のＴＦＴ画素ユニットには第１のデータ線及び第２のデータ線が対応して設けられ、毎列における奇数行のＴＦＴ画素ユニットは前記第１のデータ線に接続され、毎列における偶数行のＴＦＴ画素ユニットは前記第２のデータ線に接続され、前記第１のデータ線と第２のデータ線とは、それぞれ第１のスイッチ部材と第２のスイッチ部材とによってソース電極制御器に設けられている同一のソース電極駆動チップに接続され、前記ソース電極制御器は、ｎ個のソース電極駆動チップ及び２ｎ本のデータ線を介してｎ列のＴＦＴ画素ユニットにデータ信号を提供し、ｍ及びｎは、いずれもゼロより大きい整数であることを特徴とする液晶パネルの駆動方法。
【請求項７】
前記ゲート電極制御器が奇数行のＴＦＴ画素ユニットに走査信号を提供したときには、前記第１のスイッチ部材が導通されるとともに第２のスイッチ部材が遮断され、前記ソース電極制御器は、ｎ個のソース電極駆動チップ及び毎列における第１のデータ線を介して奇数行におけるＴＦＴ画素ユニットにデータ信号を提供し、
前記ゲート電極制御器が偶数行のＴＦＴ画素ユニットに走査信号を提供したときには、前記第１のスイッチ部材が遮断されるとともに第２のスイッチ部材が導通され、前記ソース電極制御器は、ｎ個のソース電極駆動チップ及び毎列における第２のデータ線を介して偶数行におけるＴＦＴ画素ユニットにデータ信号を提供することを特徴とする請求項６に記載の液晶パネルの駆動方法。
【請求項８】
前記第１のスイッチ部材及び第２のスイッチ部材はそれぞれ前記タイミング制御器に接続され、前記タイミング制御器の制御によって前記第１のスイッチ部材及び第２のスイッチ部材が導通又は遮断されることを特徴とする請求項６に記載の液晶パネルの駆動方法。
【請求項９】
前記第１のスイッチ部材及び第２のスイッチ部材はそれぞれ前記タイミング制御器に接続され、前記タイミング制御器の制御によって前記第１のスイッチ部材及び第２のスイッチ部材が導通又は遮断されることを特徴とする請求項７に記載の液晶パネルの駆動方法。
【請求項１０】
前記第１のスイッチ部材は第１のＭＯＳトランジスタであり、前記第２のスイッチ部材は第２のＭＯＳトランジスタであり、
前記第１のＭＯＳトランジスタにおいて、ゲート電極は第１のクロック線を介して前記タイミング制御器に接続され、ソース電極は前記ソース電極駆動チップに接続され、ドレイン電極は前記第１のデータ線に接続され、
前記第２のＭＯＳトランジスタにおいて、ゲート電極は第２のクロック線を介して前記タイミング制御器に接続され、ソース電極は前記ソース電極駆動チップに接続され、ドレイン電極は前記第２のデータ線に接続されることを特徴とする請求項９に記載の液晶パネルの駆動方法。
【請求項１１】
対向に配置されたカラーフィルタ基板及びＴＦＴアレイ基板と、両基板間に配置された液晶層とを備えた液晶パネルを有し、前記液晶パネルの駆動回路は、ｍ行×ｎ列のＴＦＴ画素ユニットが配布されているガラス基板と、ゲート電極制御器と、ソース電極制御器と、タイミング制御器と、前記ＴＦＴ画素ユニットの行列間に配置されているｍ本の走査線及び２ｎ本のデータ線とを備える液晶表示装置であって、
前記タイミング制御器は、前記ゲート電極制御器及びソース電極制御器にタイミング信号を提供し、
毎行のＴＦＴ画素ユニットには１本の走査線が接続され、ｍ本の走査線は前記ゲート電極制御器に接続され、前記ゲート電極制御器は、ｍ本の走査線を介してｍ行のＴＦＴ画素ユニットに走査信号を提供し、
毎列のＴＦＴ画素ユニットには第１のデータ線及び第２のデータ線が対応して設けられ、毎列における奇数行のＴＦＴ画素ユニットは前記第１のデータ線に接続され、毎列における偶数行のＴＦＴ画素ユニットは前記第２のデータ線に接続され、前記第１のデータ線と第２のデータ線とは、それぞれ第１のスイッチ部材と第２のスイッチ部材とによってソース電極制御器に設けられている同一のソース電極駆動チップに接続され、前記ソース電極制御器は、ｎ個のソース電極駆動チップ及び２ｎ本のデータ線を介してｎ列のＴＦＴ画素ユニットにデータ信号を提供し、ｍ及びｎは、いずれもゼロより大きい整数であることを特徴とする液晶表示装置。
【請求項１２】
前記ゲート電極制御器が奇数行のＴＦＴ画素ユニットに走査信号を提供したときには、前記第１のスイッチ部材が導通されるとともに第２のスイッチ部材が遮断され、前記ソース電極制御器は、ｎ個のソース電極駆動チップ及び毎列における第１のデータ線を介して奇数行におけるＴＦＴ画素ユニットにデータ信号を提供し、
前記ゲート電極制御器が偶数行のＴＦＴ画素ユニットに走査信号を提供したときには、前記第１のスイッチ部材が遮断されるとともに第２のスイッチ部材が導通され、前記ソース電極制御器は、ｎ個のソース電極駆動チップ及び毎列における第２のデータ線を介して偶数行におけるＴＦＴ画素ユニットにデータ信号を提供することを特徴とする請求項１１に記載の液晶表示装置。
【請求項１３】
前記第１のスイッチ部材及び第２のスイッチ部材はそれぞれ前記タイミング制御器に接続され、前記タイミング制御器の制御によって前記第１のスイッチ部材及び第２のスイッチ部材が導通又は遮断されることを特徴とする請求項１１に記載の液晶表示装置。
【請求項１４】
前記第１のスイッチ部材及び第２のスイッチ部材はそれぞれ前記タイミング制御器に接続され、前記タイミング制御器の制御によって前記第１のスイッチ部材及び第２のスイッチ部材が導通又は遮断されることを特徴とする請求項１２に記載の液晶表示装置。
【請求項１５】
前記第１のスイッチ部材は第１のＭＯＳトランジスタであり、前記第２のスイッチ部材は第２のＭＯＳトランジスタであり、
前記第１のＭＯＳトランジスタにおいて、ゲート電極は第１のクロック線を介して前記タイミング制御器に接続され、ソース電極は前記ソース電極駆動チップに接続され、ドレイン電極は前記第１のデータ線に接続され、
前記第２のＭＯＳトランジスタにおいて、ゲート電極は第２のクロック線を介して前記タイミング制御器に接続され、ソース電極は前記ソース電極駆動チップに接続され、ドレイン電極は前記第２のデータ線に接続されることを特徴とする請求項１４に記載の液晶表示装置。
【発明の詳細な説明】
【技術分野】
【０００１】
本発明は、液晶表示技術分野に関し、特に液晶表示装置における液晶パネルの駆動回路、駆動方法及び該駆動回路を備える液晶表示装置に関するものである。
【背景技術】
【０００２】
液晶表示装置（Liquid Crystal Display、ＬＣＤ）は、超薄型の平面表示設備であり、所定量のカラーまたは白黒の画素からなり、光源または反射面の前方に配置されて構成される。液晶表示装置は、低電力消費、高画質、小型化、軽量化という特点により、人気の表示装置となった。現在の液晶表示装置は主に薄膜トランジスタ（Thin  Film  Transistor、ＴＦＴ）液晶表示装置であり、液晶パネルは液晶表示装置の重要な部材である。液晶パネルは、一般に対向に配置されたカラーフィルタ基板及びＴＦＴアレイ基板と、両基板間に配置された液晶層とを備える。平面表示技術が発展するにしたがって、人々の輝度、彩度、解像度、視角、更新速度などのような画質に対する要求が高まっている。また、画質の向上は、パネルの電力消費及び製造コストに対して大きく影響している。パネルの電力消費及び製造コストの低減のために、パネル製造業者らは新技術の開発及び新材料の探索に注力している。液晶パネルの電力消費は、液晶の駆動電圧及び信号の頻度に依存し、液晶の駆動電圧が大きく、信号の頻度が高いほど、パネルの電力消費は大きくなるので、パネルの電力消費を低減するために、パネル製造業者らは低電圧で液晶を駆動することができることを探索している。また、信号の頻度は、主にパネルの解像度及び画面の更新速度に依存する。
【０００３】
図１の従来の液晶パネルの駆動回路の構造図に示したように、ガラス基板１にｍ行×ｎ列のＴＦＴ画素ユニット２が配布されており、ＴＦＴ画素ユニット２の行列間にｍ本の走査線Ｇｉ及びｎ本のデータ線Ｄｊが配置されており、ｉ本目の走査線は、それに対応して接続されたｉ行目におけるＴＦＴ画素ユニット２を制御し、ｊ本目のデータ線は、それに対応して接続されたｊ列目におけるＴＦＴ画素ユニット２を制御する。ｍ本の走査線Ｇｉは、ゲート電極制御器３に接続され、かつタイミング制御器５の制御によってＴＦＴ画素ユニット２アレイへの走査信号を提供し、ｎ本のデータ線Ｄｊは、ソース電極制御器４におけるｎ個のソース電極駆動チップＳｊに１対１対応で接続され、かつタイミング制御器５の制御によってＴＦＴ画素ユニット２アレイへのデータ信号を提供する。これらの構造のＴＦＴアレイ基板の駆動回路が作動するときには、ｍ本の走査線ＧｉはＴＦＴ画素ユニット２を一行ずつ順次に起動し、このときにｎ本のデータ線Ｄｊは対応する行のＴＦＴ画素ユニット２にデータ信号を提供する。毎データ線は一列におけるＴＦＴ画素ユニット２の全体にデータ信号を逐次提供する必要があるので、信号の充電頻度が高まって液晶パネルの電力消費が大きくなってしまう。また、ｉ＝１、２、３、・・・ｍであり、ｊ＝１、２、３、・・・ｎである。
【０００４】
信号の充電頻度を低くして液晶パネルの電力消費を減少するために、従来の方法ではダブル型のデータ線を用いる駆動回路を採用し、図２を参照すれば、図１に示した駆動回路との相違は、ダブル型のデータ線を用いる駆動回路において、毎列のＴＦＴ画素ユニット２に２本のデータ線Ｄｊ１及びＤｊ２が対応して配置されていることである。一方のデータ線Ｄｊ１はその列における奇数行のあらゆるＴＦＴ画素ユニット２に接続し、そのデータ線Ｄｊ１はソース電極駆動チップＳｊ１を介してソース電極制御器４に接続されている。他方のデータ線Ｄｊ２はその列における偶数行のあらゆるＴＦＴ画素ユニット２に接続し、そのデータ線Ｄｊ２はソース電極駆動チップＳｊ２を介してソース電極制御器４に接続されている。これらの構造のＴＦＴアレイ基板の駆動回路が作動するときには、毎列のＴＦＴ画素ユニット２に対しては、２本のデータ線で交互の奇数行と偶数行とのＴＦＴ画素ユニット２にデータ信号を提供することで、信号の充電頻度を低下させて液晶パネルの電力消費を減少させる。しかし、これらの駆動回路では、ソース電極制御器４におけるソース電極駆動チップＳｊ１、Ｓｊ２が倍に増えるので、ソース電極制御器４の設計及び製造の困難度が増大されることにより、液晶パネルの製造コストが高まってしまう。
【発明の概要】
【発明が解決しようとする課題】
【０００５】
本発明は、上記のような事情に鑑みなされたものであって、データ線の信号の充電頻度を低下して液晶パネルの電力消費を減少するとともに、駆動チップの使用数量を低減して駆動回路の設計及び製造の困難度を低下することにより、製造コストを節約することができる液晶パネルの駆動回路、駆動方法及び該駆動回路を備える液晶表示装置を提供することを目的とする。
【課題を解決するための手段】
【０００６】
上述した問題を解決するため、本発明は、ｍ行×ｎ列のＴＦＴ画素ユニットが配布されているガラス基板と、ゲート電極制御器と、ソース電極制御器と、タイミング制御器と、前記ＴＦＴ画素ユニットの行列間に配置されているｍ本の走査線及び２ｎ本のデータ線とを備える液晶パネルの駆動回路を提供する。前記タイミング制御器は、前記ゲート電極制御器及びソース電極制御器にタイミング信号を提供し、毎行のＴＦＴ画素ユニットには１本の走査線が接続され、ｍ本の走査線は前記ゲート電極制御器に接続され、前記ゲート電極制御器は、ｍ本の走査線を介してｍ行のＴＦＴ画素ユニットに走査信号を提供し、毎列のＴＦＴ画素ユニットには第１のデータ線及び第２のデータ線が対応して設けられ、毎列における奇数行のＴＦＴ画素ユニットは前記第１のデータ線に接続され、毎列における偶数行のＴＦＴ画素ユニットは前記第２のデータ線に接続され、前記第１のデータ線と第２のデータ線とは、それぞれ第１のスイッチ部材と第２のスイッチ部材とによってソース電極制御器に設けられている同一のソース電極駆動チップに接続され、前記ソース電極制御器は、ｎ個のソース電極駆動チップ及び２ｎ本のデータ線を介してｎ列のＴＦＴ画素ユニットにデータ信号を提供し、ｍ及びｎは、いずれもゼロより大きい整数である。
【０００７】
また、前記ゲート電極制御器が奇数行のＴＦＴ画素ユニットに走査信号を提供したときには、前記第１のスイッチ部材が導通されるとともに第２のスイッチ部材が遮断され、前記ソース電極制御器は、ｎ個のソース電極駆動チップ及び毎列における第１のデータ線を介して奇数行におけるＴＦＴ画素ユニットにデータ信号を提供し、前記ゲート電極制御器が偶数行のＴＦＴ画素ユニットに走査信号を提供したときには、前記第１のスイッチ部材が遮断されるとともに第２のスイッチ部材が導通され、前記ソース電極制御器は、ｎ個のソース電極駆動チップ及び毎列における第２のデータ線を介して偶数行におけるＴＦＴ画素ユニットにデータ信号を提供する。
【０００８】
また、前記第１のスイッチ部材及び第２のスイッチ部材はそれぞれ前記タイミング制御器に接続され、前記タイミング制御器の制御によって前記第１のスイッチ部材及び第２のスイッチ部材が導通又は遮断される。
【０００９】
また、前記第１のスイッチ部材は第１のＭＯＳトランジスタであり、前記第２のスイッチ部材は第２のＭＯＳトランジスタであり、前記第１のＭＯＳトランジスタにおいて、ゲート電極は第１のクロック線を介して前記タイミング制御器に接続され、ソース電極は前記ソース電極駆動チップに接続され、ドレイン電極は前記第１のデータ線に接続され、前記第２のＭＯＳトランジスタにおいて、ゲート電極は第２のクロック線を介して前記タイミング制御器に接続され、ソース電極は前記ソース電極駆動チップに接続され、ドレイン電極は前記第２のデータ線に接続される。
【００１０】
また、上述した問題を解決するため、本発明は、タイミング制御器によってタイミング信号をゲート電極制御器及びソース電極制御器に提供するステップと、ゲート電極制御器によって走査信号をｍ行のＴＦＴ画素ユニットの毎行に逐次提供するステップと、ソース電極制御器によってデータ信号をｎ列のＴＦＴ画素ユニットに提供するステップを含む液晶パネルの駆動方法を提供する。毎列のＴＦＴ画素ユニットには第１のデータ線及び第２のデータ線が対応して設けられ、毎列における奇数行のＴＦＴ画素ユニットは前記第１のデータ線に接続され、毎列における偶数行のＴＦＴ画素ユニットは前記第２のデータ線に接続され、前記第１のデータ線と第２のデータ線とは、それぞれ第１のスイッチ部材と第２のスイッチ部材とによってソース電極制御器に設けられている同一のソース電極駆動チップに接続され、前記ソース電極制御器は、ｎ個のソース電極駆動チップ及び２ｎ本のデータ線を介してｎ列のＴＦＴ画素ユニットにデータ信号を提供し、ｍ及びｎは、いずれもゼロより大きい整数である。
【００１１】
また、前記ゲート電極制御器が奇数行のＴＦＴ画素ユニットに走査信号を提供したときには、前記第１のスイッチ部材が導通されるとともに第２のスイッチ部材が遮断され、前記ソース電極制御器は、ｎ個のソース電極駆動チップ及び毎列における第１のデータ線を介して奇数行におけるＴＦＴ画素ユニットにデータ信号を提供し、前記ゲート電極制御器が偶数行のＴＦＴ画素ユニットに走査信号を提供したときには、前記第１のスイッチ部材が遮断されるとともに第２のスイッチ部材が導通され、前記ソース電極制御器は、ｎ個のソース電極駆動チップ及び毎列における第２のデータ線を介して偶数行におけるＴＦＴ画素ユニットにデータ信号を提供する。
【００１２】
また、前記第１のスイッチ部材及び第２のスイッチ部材はそれぞれ前記タイミング制御器に接続され、前記タイミング制御器の制御によって前記第１のスイッチ部材及び第２のスイッチ部材が導通又は遮断される。
【００１３】
また、前記第１のスイッチ部材は第１のＭＯＳトランジスタであり、前記第２のスイッチ部材は第２のＭＯＳトランジスタであり、前記第１のＭＯＳトランジスタにおいて、ゲート電極は第１のクロック線を介して前記タイミング制御器に接続され、ソース電極は前記ソース電極駆動チップに接続され、ドレイン電極は前記第１のデータ線に接続され、前記第２のＭＯＳトランジスタにおいて、ゲート電極は第２のクロック線を介して前記タイミング制御器に接続され、ソース電極は前記ソース電極駆動チップに接続され、ドレイン電極は前記第２のデータ線に接続される。
【００１４】
また、上述した問題を解決するため、本発明は、対向に配置されたカラーフィルタ基板及びＴＦＴアレイ基板と、両基板間に配置された液晶層とを備えた液晶パネルを有し、前記液晶パネルの駆動回路は、ｍ行×ｎ列のＴＦＴ画素ユニットが配布されているガラス基板と、ゲート電極制御器と、ソース電極制御器と、タイミング制御器と、前記ＴＦＴ画素ユニットの行列間に配置されているｍ本の走査線及び２ｎ本のデータ線とを備える液晶表示装置を提供する。前記液晶パネルの駆動回路は、上述したような駆動回路を適用する。
【発明の効果】
【００１５】
従来技術と比べれば、本発明液晶パネルの駆動回路において、同一の列のＴＦＴ画素ユニットに対して、２つのスイッチ部材で２本のデータ線をそれぞれ同一のソース電極駆動チップに接続し、スイッチ部材の選択によってソース電極駆動チップのデータ信号を第１のデータ線を介して奇数行におけるＴＦＴ画素ユニットに提供、または、第２のデータ線を介して偶数行におけるＴＦＴ画素ユニットに提供することにより、データ線の信号の充電頻度を低下して液晶パネルの電力消費を減少するとともに、ソース電極駆動チップの使用数量を低減して駆動回路の設計及び製造の困難度を低下することにより、製造コストを節約することができる。
【図面の簡単な説明】
【００１６】
【図１】従来の液晶パネルの駆動回路の構造を示す図である。
【図２】従来の別の液晶パネルの駆動回路の構造を示す図である。
【図３】本発明の実施形態に係る液晶パネルの駆動回路の構造を示す図である。
【図４】図３に示した駆動回路の駆動シーケンス図である。
【発明を実施するための形態】
【００１７】
上記の従来技術における問題を解決するための本発明に係る液晶パネルの駆動回路は、ｍ行×ｎ列のＴＦＴ画素ユニットが配布されているガラス基板と、ゲート電極制御器と、ソース電極制御器と、タイミング制御器と、前記ＴＦＴ画素ユニットの行列間に配置されているｍ本の走査線及び２ｎ本のデータ線とを備える。前記タイミング制御器は、前記ゲート電極制御器及びソース電極制御器にタイミング信号を提供する。毎行のＴＦＴ画素ユニットには１本の走査線が接続され、ｍ本の走査線は前記ゲート電極制御器に接続され、前記ゲート電極制御器は、ｍ本の走査線を介してｍ行のＴＦＴ画素ユニットに走査信号を提供する。毎列のＴＦＴ画素ユニットには第１のデータ線及び第２のデータ線が対応して設けられ、毎列における奇数行のＴＦＴ画素ユニットは前記第１のデータ線に接続され、毎列における偶数行のＴＦＴ画素ユニットは前記第２のデータ線に接続され、前記第１のデータ線と第２のデータ線とは、それぞれ第１のスイッチ部材と第２のスイッチ部材とによってソース電極制御器に設けられている同一のソース電極駆動チップに接続される。前記ソース電極制御器は、ｎ個のソース電極駆動チップ及び２ｎ本のデータ線を介してｎ列のＴＦＴ画素ユニットにデータ信号を提供する。ｍ及びｎは、いずれもゼロより大きい整数である。
【００１８】
前記ゲート電極制御器が奇数行のＴＦＴ画素ユニットに走査信号を提供したときには、前記第１のスイッチ部材が導通されるとともに第２のスイッチ部材が遮断され、前記ソース電極制御器は、ｎ個のソース電極駆動チップ及び毎列における第１のデータ線を介して奇数行におけるＴＦＴ画素ユニットにデータ信号を提供する。前記ゲート電極制御器が偶数行のＴＦＴ画素ユニットに走査信号を提供したときには、前記第１のスイッチ部材が遮断されるとともに第２のスイッチ部材が導通され、前記ソース電極制御器は、ｎ個のソース電極駆動チップ及び毎列における第２のデータ線を介して偶数行におけるＴＦＴ画素ユニットにデータ信号を提供する。
【００１９】
上述の液晶パネルの駆動回路によれば、データ線の信号の充電頻度を低下して液晶パネルの電力消費を減少するとともに、駆動チップの使用数量を低減して駆動回路の設計及び製造の困難度を低下することにより、製造コストを節約することができる。
【００２０】
以下、図面を参照しながら本発明の具体的な実施例についてより詳細に説明する。
【００２１】
図３に示したように、本実施例に係る液晶パネルの駆動回路は、ｍ行×ｎ列のＴＦＴ画素ユニット２が配布されているガラス基板１と、ゲート電極制御器３と、ソース電極制御器４と、タイミング制御器５と、前記ＴＦＴ画素ユニット２の行列間に配置されているｍ本の走査線Ｇｉ及び２ｎ本のデータ線Ｄｊ１及びＤｊ２とを備える。前記タイミング制御器５は、前記ゲート電極制御器３及びソース電極制御器４にタイミング信号を提供する。ｉ行目のＴＦＴ画素ユニット２にはｉ本目の走査線Ｇｉが接続され、ｍ本の走査線は前記ゲート電極制御器３に接続され、前記ゲート電極制御器３は、ｍ本の走査線を介してｍ行のＴＦＴ画素ユニット２に走査信号を提供する。ｊ列目のＴＦＴ画素ユニット２には第１のデータ線Ｄｊ１及び第２のデータ線Ｄｊ２が対応して設けられ、ｊ列目における奇数行のＴＦＴ画素ユニット２には前記第１のデータ線Ｄｊ１が接続され、ｊ列目における偶数行のＴＦＴ画素ユニット２には前記第２のデータ線Ｄｊ２が接続され、前記第１のデータ線Ｄｊ１と第２のデータ線Ｄｊ２とはそれぞれ第１のスイッチ部材Ｑｊ１と第２のスイッチ部材Ｑｊ２とによってソース電極制御器４に設けられている同一のソース電極駆動チップＳｊに接続されている。前記ソース電極制御器４は、ｎ個のソース電極駆動チップＳｊ及び２ｎ本のデータ線Ｄｊ１及びＤｊ２を介してｎ列のＴＦＴ画素ユニット２にデータ信号を提供する。ｍ及びｎは、いずれもゼロより大きい整数であり、ｉ＝１、２、３、・・・ｍであり、ｊ＝１、２、３、・・・ｎである。
【００２２】
本実施例において、第１のスイッチ部材Ｑｊ１及び第２のスイッチ部材Ｑｊ２はそれぞれタイミング制御器５に接続され、タイミング制御器５の制御によって第１のスイッチ部材Ｑｊ１及び第２のスイッチ部材Ｑｊ２が導通又は遮断される。具体的には、第１のスイッチ部材Ｑｊ１は第１のＭＯＳトランジスタであり、第２のスイッチ部材Ｑｊ２は第２のＭＯＳトランジスタである。第１のＭＯＳトランジスタにおいて、ゲート電極は第１のクロック線ＣＬＫ１を介してタイミング制御器５に接続され、ソース電極はソース電極駆動チップＳｊに接続され、ドレイン電極は第１のデータ線Ｄｊ１に接続される。第２のＭＯＳトランジスタにおいて、ゲート電極は第２のクロック線ＣＬＫ２を介してタイミング制御器５に接続され、ソース電極はソース電極駆動チップＳｊに接続され、ドレイン電極は第２のデータ線Ｄｊ２に接続される。
【００２３】
上記したような液晶パネルの駆動回路の駆動方法は、タイミング制御器５によってタイミング信号をゲート電極制御器３及びソース電極制御器４に提供するステップと、ゲート電極制御器３によって走査信号をｍ行のＴＦＴ画素ユニット２の毎行に逐次提供するステップと、ソース電極制御器４によってデータ信号をｎ列のＴＦＴ画素ユニット２に提供するステップとを含む。
【００２４】
そのデータ信号を提供するステップにおいて、ゲート電極制御器３が奇数行のＴＦＴ画素ユニット２に走査信号を提供したときには、タイミング制御器５が、第１のクロック線ＣＬＫ１及び第２クロック線ＣＬＫ２を介して第１のスイッチ部材Ｑｊ１が導通されるとともに第２のスイッチ部材Ｑｊ２が遮断されるように制御することにより、ソース電極制御器４がソース電極駆動チップＳｊを介して第１のデータ線Ｄｊ１に接続されて奇数行のＴＦＴ画素ユニット２にデータ信号を提供し、ゲート電極制御器３が偶数行のＴＦＴ画素ユニット２に走査信号を提供したときには、タイミング制御器５が、第１のクロック線ＣＬＫ１及び第２クロック線ＣＬＫ２を介して第１のスイッチ部材Ｑｊ１が遮断されるとともに第２のスイッチ部材Ｑｊ２が導通されるように制御することにより、ソース電極制御器４がソース電極駆動チップＳｊを介して第２のデータ線Ｄｊ２に接続されて偶数行のＴＦＴ画素ユニット２にデータ信号を提供する。
【００２５】
図４に示した前記駆動回路の駆動シーケンス図において、ＣＬＫ１とＣＬＫ２とは第１のクロック線と第２のクロック線との信号波形を表し、ＳＴＶはトリガ信号を表し、Ｇ１〜Ｇ３は１本目から３本目の走査線の波形を表す。図４では、１本目から３本目の走査線の波形のみを図示しているが、ゲート電極制御器３はｍ本の走査線Ｇｉの毎行を逐次起動する。図４において、第１のクロック線が高レベルである場合は、奇数行に対応する走査線が起動され、第２クロック線が高レベルである場合は、偶数行に対応する走査線が起動される。
【００２６】
本実施例に係る液晶表示装置は、対向に配置されたカラーフィルタ基板及びＴＦＴアレイ基板と、両基板間に配置された液晶層とを備えた液晶パネルを有する。ＴＦＴアレイ基板にはｍ行×ｎ列のＴＦＴ画素ユニットが配布されており、各ＴＦＴ画素ユニットは第１、第２及び第３の色（赤、緑、青の３つの色）のうちの１つに対応し、前記液晶パネルの駆動回路は、上述したような駆動回路及び駆動方法を適用する。
【００２７】
よって、本発明に係る液晶パネルの駆動回路において、同一の列のＴＦＴ画素ユニットに対して、２つのスイッチ部材で２本のデータ線をそれぞれ同一のソース電極駆動チップに接続し、スイッチ部材の選択によってソース電極駆動チップのデータ信号を第１のデータ線を介して奇数行におけるＴＦＴ画素ユニットに提供、または、第２のデータ線を介して偶数行におけるＴＦＴ画素ユニットに提供することにより、データ線の信号の充電頻度を低下して液晶パネルの電力消費を減少するとともに、ソース電極駆動チップの使用数量を低減して駆動回路の設計及び製造の困難度を低下することにより、製造コストを節約することができる。
【００２８】
また、本明細書において、「第１」及び「第２」のような用語は一方の実体または操作と他方の実体または操作とを区別するためのものであり、これらの実体または操作間における関係又は順序を要求または暗示するものではない。また、「備える」、「含む」の用語またはその変形の用語は非排他性の包含をカバーするためのものであるので、明記以外の要素も含むことができる。また、特に限定しなかった場合は、「一個・・・を含む」の形で限定された要素は、該要素の過程、方法、物品または設備に存在する他の要素も含むことができる。
【００２９】
以上は、本発明の具体的な実施形態に対する説明にすぎず、当業者ならば、この発明の要旨を逸脱しない範囲での設計の変更等があってもこの発明に含まれることは勿論である。
【図１】
2016539365.tif 000003
【図２】
2016539365.tif 000004
【図３】
2016539365.tif 000005
【図４】
2016539365.tif 000006
【国際調査報告】
2016539365.tif 000007
2016539365.tif 000008
2016539365.tif 000009
2016539365.tif 000010